【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
個別識別可能なホログラムの制作方法であって、
光線（３）を発生させ、
その光線（３）を空間光変調器（５）内で細かく分割して変調し、
ホログラム記録材料（１３）をホログラムマスター（２３）に対して相対的に配置するとともに、細かく分割して変調された光線（３’）の少なくとも一部がホログラムマスター（２３）で散乱及び／又は反射されて、ホログラム記録材料（１３）内で細かく分割して変調された光線（３’）と干渉し、その結果ホログラム記録材料（１３）内に個別識別可能なホログラムを表す干渉パターンが形成されるように、細かく分割して変調された光線（３’）を誘導し、
ホログラムマスター（２３）の全体を走査するために、細かく分割して変調された光線（３’）をホログラム記録材料（１３）及びホログラムマスター（２３）に対して相対的に動かす方法において、
記録材料（１３）を円筒形のドラム（１５）に密着して配置し、ホログラムマスター（２３）を走査する時に、ドラム（１５）のドラム回転軸（２７）の周りにドラム（１５）を回転させ、
細かく分割して変調された光線（３’）がドラムの回転軸に関して固定した位置でドラムに当たるが、その光線によって運ばれる細かく分割して変調された情報がドラムの動きと同期して移動するように、細かく分割して変調された光線（３’）を誘導する、
ことを特徴とする方法。
【請求項２】
請求項１に記載の方法において、
空間光変調器（５）は、平坦に構成されるとともに、光線を変調するために、有利には、ストライプ形状の光線を用いて走査されることを特徴とする方法。
【請求項３】
請求項１又は２に記載の方法において、
ミラー回転軸（１７）の周りを回転可能な形で軸支された偏向ミラー（１１）によって、細かく分割して変調された光線（３’）をホログラム記録材料（１３）の方に偏向させるとともに、細かく分割して変調された光線（３’）がドラム（１５）のドラム回転軸（２７）に関して固定した位置で記録材料（１３）に当たる回転速度で、その偏向ミラーを回転させる、
ことを特徴とする方法。
【請求項４】
請求項１から３までのいずれか一つに記載の方法において、
ホログラム記録材料（１３）上における細かく分割して変調された光線（３’）の入射ライン（２９）又は入射位置が、ドラム（１５）の回転から生じるホログラム記録材料（１３）の接線方向の速度（ｖFilm）と一致する速度（ｖSpiegel ）で記録材料（１３）の接平面（３７）内を動くように、偏向前の固定した位置の細かく分割して変調された光線（３’）に関して、偏向ミラー（１１）の回転速度を定め、
ホログラム記録材料（１３）上における細かく分割して変調された光線（３’）の入射ライン（２９）又は入射位置が、偏向ミラー（１１）を回転させないとした場合に、ドラム（１５）の回転から生じるホログラム記録材料（１３）の接線方向の速度（ｖFilm）を相殺する速度−ｍ・ｖscanで接平面（３７）内を動くように、走査速度を定める、
ことを特徴とする方法。
【請求項５】
請求項１又は２に記載の方法において、
固定した位置に入射する光線（３）が空間光変調器（５）に対して相対的に動く走査用光線に変換されるように、光学システム（６１）をドラム回転軸（２７）に対して垂直な方向に並進的に動かし、
この光学システムが、少なくとも一つのビームスプリッタ（７７）を有し、ビームスプリッタ（７７）によって、光線（３）を空間光変調器（５）の方に偏向させるとともに、ビームスプリッタ（７７）によって、空間光変調器によって細かく分割して変調された光線（３’）をホログラム記録材料（１３）の方に偏向させる、
ことを特徴とする方法。
【請求項６】
請求項５に記載の方法において、
光学系（６１）が、更に、空間光変調器と、ビームスプリッタ（７７）に対して相対的に固定した方向を向いている偏向ミラー（６７）とを有し、
光学システム（６１）が、ドラム回転軸（２７）及びホログラム記録材料（１３）上の細かく分割して変調された光線（３’）に対して垂直な方向に実現されている、
ことを特徴とする方法。
【請求項７】
請求項１から６までのいずれか一つに記載の方法において、
ホログラム記録材料（１３）及び／又はホログラムマスター（２３）に対する細かく分割して変調された光線（３’）の入射方向を変化させるために、細かく分割して変調された光線（３’）の入射ライン（２９）によって規定される旋回軸の周りに、光学システム（６１）とドラム回転軸（２７）を互いに相対的に旋回させることを特徴とする方法。
【請求項８】
個別識別可能なホログラムの制作装置（１）であって、この装置は、
コヒーレントな光線を発生させる光源と、
その光線（３）を細かく分割して変調された光線（３’）に細かく分割して変調するための空間光変調器（ＳＬＭ）（５）と、
ホログラムマスター（２３）と、
細かく分割して変調された光線（３’）の透過に関して、ホログラムマスター（２３）に対して相対的にホログラム記録材料（１３）を配置することが可能な供給機器と、
を有し、
細かく分割して変調された光線（３’）の少なくとも一部がホログラムマスター（２３）で散乱及び／又は反射されて、ホログラム記録材料（１３）内で細かく分割して変調された光線（３’）と重なり合い、その結果ホログラム記録材料（１３）内に個別識別可能なホログラムを表す干渉パターンが形成されるように、細かく分割して変調された光線（３’）を誘導し、
ホログラムマスター（２３）の全体を走査するために、細かく分割して変調された光線（３’）をホログラム記録材料（１３）及びホログラムマスター（２３）に対して相対的に動かすことが可能である装置において、
この供給機器が、円筒形のドラム（１５）を有し、ホログラム記録材料（１３）をドラム（１５）に密着した形でホログラムマスター（２３）に対して相対的に配置するように構成されており、
ホログラムマスター（２３）を走査する時に、ドラム回転軸（２７）の周りにドラム（１５）を回転させるために、ドラム（１５）がドラム駆動機器（２５）と連結されており、
細かく分割して変調された光線（３，３’）の誘導及び投影に必要な部品の中の少なくとも一つを動かすことが可能であり、そのため、細かく分割して変調された光線（３’）がドラムの回転軸に関して固定した位置でドラムに当たるが、その光線によって運ばれる細かく分割して変調された情報がドラムの動きと同期して移動するように、細かく分割して変調された光線（３’）が誘導される、
ことを特徴とする装置。
【請求項９】
請求項８に記載の装置（１）において、
空間光変調器（５）が平坦に構成されていることを特徴とする装置。
【請求項１０】
請求項８又は９に記載の装置（１）において、
ミラー回転軸（１７）の周りを回転可能な形で軸支された偏向ミラー（１１）は、（投影する）細かく分割して変調された光線（３’）をホログラム記録材料（１３）の方に偏向するように、空間光変調器（５）及びドラム（１５）に対して相対的に配置されていることを特徴とする装置。
【請求項１１】
請求項８から１０までのいずれか一つに記載の装置（１）において、
当該の偏向ミラーは、駆動機器（１９）と連結されており、その駆動機器は、偏向ミラー（１１）の回転速度を制御して、細かく分割して変調された光線（３’）がドラム（１５）の回転軸（２７）に関して固定した位置で記録材料（１３）に当たる速度で偏向ミラー（１１）を回転させることを特徴とする装置。
【請求項１２】
請求項８から１１までのいずれか一つに記載の装置（１）において、
偏向ミラー（１１）は、駆動機器（１９）と連結されており、その駆動機器は、ホログラム記録材料（１３）上における細かく分割して変調された光線（３’）の入射ライン（２９）又は入射位置が、ドラム（１５）の回転から生じるホログラム記録材料（１３）の接線方向の速度（ｖFilm）と一致する速度（ｖSpiegel ）で記録材料（１３）の接平面（３７）内を動くように、偏向前の固定した位置の細かく分割して変調された光線（３’）に関して、偏向ミラー（１１）の回転速度を制御し、
ホログラム記録材料（１３）上における細かく分割して変調された光線（３’）の入射ライン（２９）又は入射位置が、偏向ミラー（１１）を回転させないとした場合に、ドラム（１５）の回転から生じるホログラム記録材料（１３）の接線方向の速度（ｖFilm）を相殺する速度−ｍ・ｖscanで接平面（３７）内を動くように、空間光変調器（５）の走査に関する走査速度（ｖscan）が定められている、
ことを特徴とする装置。
【請求項１３】
請求項８又は９に記載の装置（１）において、
固定した位置に入射する光線（３）が空間光変調器（５）に対して相対的に動く走査用光線（３）に変換されるように、光学システム（６１）をドラム回転軸（２７）に対して垂直な方向に並進的に動かすことが可能であり、
この光学システムは、少なくとも一つのビームスプリッタ（７７）を有し、ビームスプリッタ（７７）によって、光線（３）を空間光変調器（５）の方に偏向させるとともに、ビームスプリッタ（７７）によって、空間光変調器（５）によって細かく分割して変調された光線（３’）をホログラム記録材料（１３）の方に偏向させるように配置されている、
ことを特徴とする装置。
【請求項１４】
請求項１３に記載の装置（１，１’１''）において、
光学システム（６１）が、更に、空間光変調器（５）と、ビームスプリッタ（７７）に対して相対的に固定した方向を向いた偏向ミラー（６７）とを有し、
光学システム（６１）は、スライド機器（６３）を用いて、ドラム回転軸（２７）及び細かく分割して変調された光線（３’）のホログラム記録材料（１３）への入射方向（２９）に対して垂直な方向にスライド速度（ｖtrans ）で並進的に動かすことが可能である、
ことを特徴とする装置。
【請求項１５】
請求項８から１４までのいずれか一つに記載の装置（１，１’１''）において、
ドラム回転軸（２７）の方向に対して、個別識別可能なホログラムの露光領域の外で、有利には、ドラム（１５）の近くに、有利には、記録材料（１３）上における細かく分割して変調された光線（３’）の入射ライン（２９）の接平面（３７）内又はその上方に、少なくとも一つの位置に応じて光を感知するセンサー（４９）が配置されており、
記録材料に光線を通過させた場合に、細かく分割して変調された光線（３’）の周縁領域が位置に応じて光を感知するセンサー（４９）に入射するように、細かく分割して変調された光線（３’）が形成されており、
この少なくとも一つのセンサーは、記録材料（１３）上における光線の入射ライン（２９）がドラム回転軸（２７）に対して固定した位置に保持されるように、偏向ミラー（１１）の回転速度又は光学システム（６１）のスライド速度（ｖtrans ）を制御するように構成されたコントローラ（５１）と共に閉じた制御系として統合されている、
ことを特徴とする装置。